(57)【特許請求の範囲】
【請求項１】
吸気弁のバルブタイミングを可変可能な油圧駆動方式の可変動弁機構により冷機時のファーストアイドル状態時には暖機用バルブタイミングに設定する一方、暖機後アイドル状態時には暖機後アイドル状態用バルブタイミングに設定すると共に、冷機時のファーストアイドル状態時のファーストアイドル回転数が、暖機終了後のアイドル回転数よりも高くなるよう設定された内燃機関の制御装置において、
内燃機関の回転数が、ファーストアイドル回転数から暖機終了後のアイドル回転数に向かって変化中の回転数であって、かつバルブタイミングを所定の応答性で切り替えるために必要な油圧が保証される回転数を下回る前に、吸気弁のバルブタイミングが暖機後アイドル状態用バルブタイミングとなるよう、吸気弁のバルブタイミングを暖機用バルブタイミングから暖機後アイドル状態用バルブタイミングに切り替えるバルブタイミング切替手段を備えることを特徴とする内燃機関の制御装置。
【請求項２】
可変動弁機構は、吸気弁のリフト中心角の位相を遅進させることで吸気弁のバルブタイミングを可変とするものであって、
暖機用バルブタイミングは暖機後アイドル状態用バルブタイミングに対して、リフト中心角の位相が遅角側に設定され、
前記バルブタイミング切替手段は、暖機用バルブタイミングの吸気弁リフト中心角の位相を、暖機後アイドル状態用バルブタイミングの吸気弁リフト中心角の位相となるように、吸気弁のリフト中心角の位相を進角させることを特徴とする請求項１に記載の内燃機関の制御装置。
【請求項３】
可変動弁機構は、吸気弁のリフト・作動角を連続的に拡大・縮小制御可能な油圧駆動方式のリフト・作動角可変機構を備え、
前記バルブタイミング切替手段は、暖機用バルブタイミングの吸気弁リフト・作動角を、暖機後アイドル状態用バルブタイミングの吸気弁リフト・作動角となるように、吸気弁のリフト・作動角を切り替えることを特徴とする請求項２に記載の内燃機関の制御装置。
【請求項４】
前記バルブタイミング切替手段による暖機用バルブタイミングから暖機後アイドル状態用バルブタイミングへの切り替えのタイミングは、少なくとも暖機用バルブタイミングから暖機後アイドル状態用バルブタイミングに切り替えが終了するまでの間、内燃機関の回転数がバルブタイミングを所定の応答性で切り替えるために必要な油圧が保証される回転数よりも大きくなるように設定されていることを特徴とする請求項１に記載の内燃機関の制御装置。
【請求項５】
吸気弁のバルブタイミングを可変可能な油圧駆動方式の可変動弁機構により冷機時のファーストアイドル状態時には暖機用バルブタイミングに設定する一方、暖機後アイドル状態時には暖機後アイドル状態用バルブタイミングに設定すると共に、冷機時のファーストアイドル状態時のファーストアイドル回転数が、暖機終了後のアイドル回転数よりも高くなるよう設定された内燃機関において、
内燃機関の回転数が、ファーストアイドル回転数から暖機終了後のアイドル回転数に向かって変化中の回転数であって、かつバルブタイミングを所定の応答性で切り替えるために必要な油圧が保証される回転数を下回る前に、吸気弁のバルブタイミングが暖機後アイドル状態用バルブタイミングとなるよう、吸気弁のバルブタイミングを暖機用バルブタイミングから暖機後アイドル状態用バルブタイミングに切り替えるバルブタイミング切替手段を備えることを特徴とする内燃機関。
【請求項６】
バルブタイミング切替手段は、内燃機関の冷却水温に基づいて、暖機用バルブタイミングから暖機後アイドル状態用バルブタイミングに切り替える時期を決定していることを特徴とする請求項１〜５のいずれかに記載の内燃機関の制御装置または内燃機関。
【発明の詳細な説明】
【技術分野】
【０００１】
本発明は、内燃機関の制御装置及び内燃機関に関する。
【背景技術】
【０００２】
特許文献１には、吸気弁のリフト中心角の位相を遅進させてバルブタイミングを変更可能な油圧駆動方式の位相可変機構を備えた内燃機関が開示されている。
【特許文献１】特開平１１−１０７７２５号公報
【発明の開示】
【発明が解決しようとする課題】
【０００３】
しかしながら、油圧式の位相可変機構をもつ内燃機関においては、運転条件に応じて最適なリフト中心角の位相の設定が可能ではあるが、暖機後のアイドル運転条件のような低回転域では、位相可変機構を正常に作動させるために必要な油圧を得ることが難しく応答性が悪化してしまう。
【課題を解決するための手段】
【０００４】
そこで、本発明は、吸気弁のバルブタイミングを可変可能な油圧駆動方式の可変動弁機構により冷機時のファーストアイドル状態時には暖機用バルブタイミングに設定する一方、暖機後アイドル状態時には暖機後アイドル状態用バルブタイミングに設定すると共に、冷機時のファーストアイドル状態時のファーストアイドル回転数が、暖機終了後のアイドル回転数よりも高くなるよう設定された内燃機関の制御装置において、内燃機関の回転数が、ファーストアイドル回転数から暖機終了後のアイドル回転数に向かって変化中の回転数であって、かつバルブタイミングを所定の応答性で切り替えるために必要な油圧が保証される回転数を下回る前に、吸気弁のバルブタイミングが暖機後アイドル状態用バルブタイミングとなるよう、吸気弁のバルブタイミングを暖機用バルブタイミングから暖機後アイドル状態用バルブタイミングに切り替えるバルブタイミング切替手段を備える。これによって、可変動弁機構は、暖機後アイドル状態時よりも回転数が高いファーストアイドル状態時に、バルブタイミングを切り替えるよう駆動するため、暖機後アイドル状態時よりも高い油圧で作動させることができる。
【発明の効果】
【０００５】
本発明によれば、作動油圧が高い時に可変動弁機構を作動させるので、暖機用バルブタイミングから素早く暖機後アイドル状態用バルブタイミングに切り替えられ、内燃機関の燃費を向上させることができる。
【発明を実施するための最良の形態】
【０００６】
以下、本発明の一実施形態を図面に基づいて詳細に説明する。
図１は、本実施形態の内燃機関の制御装置が備える可変動弁機構の全体的な構成を示す構成説明図である。
【０００７】
この可変動弁機構は、吸気弁５４のリフト・作動角を変化させるリフト・作動角可変機構１と、そのリフトの中心角の位相（図示せぬクランクシャフトに対する位相）を進角もしくは遅角させる位相可変機構２と、が組み合わされて構成されている。
【０００８】
まず、図２の動作説明図を併せて、リフト・作動角可変機構１を説明する。尚、このリフト・作動角可変機構１は、本出願人が先に提案したものであるが、例えば特開平１１−１０７７２５号公報等によって公知となっているので、その概要のみを説明する。
【０００９】
リフト・作動角可変機構１は、上記の吸気弁５４と、図示せぬシリンダヘッド上部の図示せぬカムブラケットに回転自在に支持された中空状の駆動軸１３と、この駆動軸１３に、圧入等により固定された偏心カム１５と、この駆動軸１３の上方位置に同じカムブラケットによって回転自在に支持されるとともに駆動軸１３と平行に配置された制御軸１６と、この制御軸１６の偏心カム部１７に揺動自在に支持されたロッカアーム１８と、各吸気弁５４の上端部に配置されたタペット１９に当接する揺動カム２０と、を備えている。上記偏心カム１５とロッカアーム１８とはリンクアーム２５によって連係されており、ロッカアーム１８と揺動カム２０とは、リンク部材２６によって連係されている。
【００１０】
駆動軸１３は、後述するように、タイミングチェーンないしはタイミングベルトを介して機関のクランクシャフトによって駆動されるものである。
【００１１】
偏心カム１５は、円形外周面を有し、該外周面の中心が駆動軸１３の軸心から所定量だけオフセットしているとともに、この外周面に、リンクアーム２５の環状部２５ａが回転可能に嵌合している。
【００１２】
ロッカアーム１８は、略中央部が偏心カム部１７によって支持されており、その一端部に、リンクアーム２５の延長部２５ｂが連係しているとともに、他端部に、上記リンク部材２６の上端部が連係している。偏心カム部１７は、制御軸１６の軸心から偏心しており、従って、制御軸１６の角度位置に応じてロッカアーム１８の揺動中心は変化する。
【００１３】
揺動カム２０は、駆動軸１３の外周に嵌合して回転自在に支持されており、側方へ延びた端部２０ａに、リンク部材２６の下端部が連係している。この揺動カム２０の下面には、駆動軸１３と同心状の円弧をなす基円面２４ａと、該基円面２４ａから端部２０ａへと所定の曲線を描いて延びるカム面２４ｂと、が連続して形成されており、これらの基円面２４ａならびにカム面２４ｂが、揺動カム２０の揺動位置に応じてタペット１９の上面に当接するようになっている。
【００１４】
すなわち、基円面２４ａはベースサークル区間として、リフト量が０となる区間であり、図１に示すように、揺動カム２０が揺動してカム面２４ｂがタペット１９に接触すると、徐々にリフトしていくことになる。なお、ベースサークル区間とリフト区間との間には若干のランプ区間が設けられている。
【００１５】
制御軸１６は、図１に示すように、一端部に設けられたリフト・作動角制御用油圧アクチュエータ３１によって所定角度範囲内で回転するように構成されている。このリフト・作動角制御用油圧アクチュエータ３１への油圧供給は、エンジンコントロールユニット３３からの制御信号に基づき、第１油圧制御部３２によって制御されている。
【００１６】
エンジンコントロールユニット３３には、内燃機関の冷却水温度を検知する水温検知手段としての水温センサ３９からの信号が入力されている。また、エンジンコントロールユニット３３には、内燃機関の回転数、内燃機関の負荷、油温等の各種検出信号が、センサ等の各種検出手段により検出され入力されている。
【００１７】
このリフト・作動角可変機構１の作用を説明すると、駆動軸１３が回転すると、偏心カム１５のカム作用によってリンクアーム２５が上下動し、これに伴ってロッカアーム１８が揺動する。このロッカアーム１８の揺動は、リンク部材２６を介して揺動カム２０へ伝達され、該揺動カム２０が揺動する。この揺動カム２０のカム作用によって、タペット１９が押圧され、吸気弁５４がリフトする。
【００１８】
ここで、リフト・作動角制御用油圧アクチュエータ３１を介して制御軸１６の角度が変化すると、ロッカアーム１８の初期位置が変化し、ひいては揺動カム２０の初期揺動位置が変化する。
【００１９】
例えば偏心カム部１７が図２（Ａ）のように上方へ位置しているとすると、ロッカアーム１８は全体として上方へ位置し、揺動カム２０の端部２０ａが相対的に上方へ引き上げられた状態となる。つまり、揺動カム２０の初期位置は、そのカム面２４ｂがタペット１９から離れる方向に傾く。従って、駆動軸１３の回転に伴って揺動カム２０が揺動した際に、基円面２４ａが長くタペット１９に接触し続け、カム面２４ｂがタペット１９に接触する期間は短い。従って、リフト量が全体として小さくなり、かつその開時期から閉時期までの角度範囲つまり作動角も縮小する。
【００２０】
逆に、偏心カム部１７が図２（Ｂ）のように下方へ位置しているとすると、ロッカアーム１８は全体として下方へ位置し、揺動カム２０の端部２０ａが相対的に下方へ押し下げられた状態となる。つまり、揺動カム２０の初期位置は、そのカム面２４ｂがタペット１９に近づく方向に傾く。従って、駆動軸１３の回転に伴って揺動カム２０が揺動した際に、タペット１９と接触する部位が基円面２４ａからカム面２４ｂへと直ちに移行する。従って、リフト量が全体として大きくなり、かつその作動角も拡大する。
【００２１】
偏心カム部１７の初期位置は連続的に変化させ得るので、これに伴って、バルブリフト特性は、図３に示すように、連続的に変化する。つまり、リフトならびに作動角を、両者同時に、連続的に拡大，縮小させることができる。なお、この実施例では、リフト・作動角の大小変化に伴い、吸気弁５４の開時期と閉時期とがほぼ対称に変化する。
【００２２】
次に、位相可変機構２は、図１に示すように、駆動軸１３の前端部に設けられたスプロケット３５と、このスプロケット３５と駆動軸１３とを、所定の角度範囲内において相対的に回転させる位相制御用油圧アクチュエータ３６と、から構成されている。スプロケット３５は、図示せぬタイミングチェーンもしくはタイミングベルトを介して、クランクシャフトに連動している。位相制御用油圧アクチュエータ３６への油圧供給は、エンジンコントロールユニット３３からの制御信号に基づき、第２油圧制御部３７によって制御されている。この位相制御用油圧アクチュエータ３６への油圧制御によって、スプロケット３５と駆動軸１３とが相対的に回転し、図４に示すように、リフト中心角が遅進する。つまり、リフト特性の曲線自体は変わらずに、全体が進角もしくは遅角する。また、この変化も、連続的に得ることができる。
【００２３】
尚、リフト・作動角可変機構１ならびに位相可変機構２の制御としては、実際のリフト・作動角あるいは位相を検出するセンサを設けて、クローズドループ制御するようにしても良く、あるいは運転条件に応じて単にオープンループ制御するようにしても良い。
【００２４】
上述したような可変動弁機構を備えた内燃機関は、冷機始動時のファーストアイドル状態時のファーストアイドル回転数が、暖機後アイドル状態時のアイドル回転数よりも高くなるよう設定されている。
【００２５】
そして、吸気弁５４のバルブタイミングは、燃費性能を考えると、図５に示すように、低回転低負荷では、リフト中心角の位相を進角させ、回転数や負荷の増加に応じてリフト中心角の位相を遅角させることになる。
【００２６】
本実施形態において、ファーストアイドル状態時の吸気弁５４のバルブタイミングは、排気性能や燃焼安定性を重視しており、図６に示すように、吸気弁５４のリフト・作動角は、大リフト・大作動角で、リフト中心角の位相は相対的に下死点側に遅角するよう設定されている。
【００２７】
一方、暖機後アイドル状態時の吸気弁５４のバルブタイミングは、燃費性能を重視しており、図７に示すように、吸気弁５４のリフト・作動角は、ファーストアイドル状態時の吸気弁５４のバルブタイミングに比べて小リフト・小作動角で、リフト中心角の位相は上死点側に進角するよう設定されている。
【００２８】
また、本実施形態におけるオイルポンプ（図示せず）は、エンジン回転数に応じて油圧が増加する特性となっている。エンジン回転数が暖機後アイドル回転数のような低回転時には、図８に示すように、十分な油圧が得られない場合がある。エンジン回転数が低回転であっても、十分な油圧を確実に得られるように油圧ポンプの流量を増大させると、フリクションが増大して燃費性能に影響を与える可能性があるため、このようなポンプを用いている。
【００２９】
本実施形態においては、運転状態が、冷機始動時のファーストアイドル状態から暖機後アイドル状態に移行する際に、エンジン回転数が高いファーストアイドル状態のうちに、つまり油圧が高いうちに、油圧駆動方式の位相可変機構２により吸気弁５４のバルブタイミングを暖機後アイドル状態時のバルブタイミングに切り替える。詳述すれば、内燃機関の回転数が、ファーストアイドル回転数から暖機終了後のアイドル回転数に向かって変化している最中に、位相可変機構２により、吸気弁５４のリフト中心角の位相をファーストアイドル状態のリフト中心角の位相から暖機後アイドル状態時のリフト中心角の位相へ進角させる。
【００３０】
このような制御を実現する手順を図１０と図１１に示すフローチャートを用いて説明する。図１０は、エンジンの冷却水温に応じてアイドル時のエンジン回転数を設定するフローチャートである。そして、このフローチャートは、所定期間ごとに繰り返し実行される。
【００３１】
まず、ステップ１０１（図中、単にＳ１０１と示す。）にてエンジンの冷却水温を冷却水温センサ（図示略）の検出信号に基づいて検出する。
次に、ステップ１０２へ進み、ステップ１０２に示すアイドル時のエンジン回転数設定マップに基づいて、ステップ１０１で検出された冷却水温に応じたエンジン回転数を設定する。上記マップでは、エンジンの冷却水温が低いときはアイドル時のエンジン回転数が高く設定されている。一方、エンジンの冷却水温が上昇して暖機温度に近づくとエンジン回転数が冷却水温の上昇に伴って速やかに暖機後のエンジン回転数となるように設定されている。
【００３２】
尚、上記マップに示したエンジン回転数ｎ１は、位相可変機構２により吸気弁５４のバルブタイミングを応答性良くファーストアイドル状態時のバルブタイミングから暖機後アイドル状態時のバルブタイミングに切り替えるために必要な油圧が保証されるエンジン回転数である。
【００３３】
また、上記マップに示したエンジンの冷却水温に対する比較値αは、エンジンの冷却水温が比較値αに到達したときにバルブタイミングを切り替えれば、エンジン回転数がｎ１を下回る前にバルブタイミングの切り替えが完了することを保証する冷却水温である。
【００３４】
本実施形態では、この比較値αとなったときにバルブタイミングの切り替えを開始することで、エンジン回転数が油圧を保証するエンジン回転数ｎ１を下回る前にバルブタイミングの切り替えを完了させるようにしている。
【００３５】
この制御の手順を、図１１のフローチャートを用いて説明する。このフローチャートも図１０同様に所定期間ごとに繰り返し実行される。
【００３６】
まず、ステップ２０１では、エンジンの冷却水温が比較値α以上になったか否かを判断する。エンジンの冷却水温が比較値αよりも小さい場合には、そのままエンジンの冷却水温が比較値α以上になるまで待機する。
【００３７】
一方、エンジンの冷却水温が暖機運転に伴って大きくなり、比較値αとなるとステップ２０２へ進む。ステップ２０２では、バルブタイミングの切り替えを開始し、ステップ２０３へ進む。
【００３８】
ステップ２０３では、エンジン回転数が、バルブタイミングを応答性良く切り替えるために必要な油圧が保証されるエンジン回転数ｎ１よりも小さいか否かを判断する。エンジン回転数がエンジン回転数ｎ１よりも大きい場合は、ステップ２０４へ進む。
【００３９】
ステップ２０４では、バルブタイミングの変更が完了したか否かを判断する。バルブタイミングの変更を完了していなければ、ステップ２０３へ戻りそのままバルブタイミングの変更を継続する。一方、バルブタイミングの変更が終了すればそのまま本フローチャートの処理を終了する。
【００４０】
ステップ２０３でバルブタイミングの切り替え中にエンジン回転数がｎ１を下回ったと判断された場合は、そのままエンジン回転数が低下してしまうとバルブタイミングの変更の応答性が低下してしまう。そのため、ステップ２０５へ進み、エンジン回転数をｎ１に維持させてバルブタイミングが完了するのを待って本フローチャートを終了する。
【００４１】
尚、ステップ２０５では、スロットル開度をエンジン回転数がｎ１となったときの開度に固定することによりエンジン回転数を維持する。若しくは、エンジン回転数がｎ１を若干（例えば数十回転程度）上回るように、スロットル開度を調整するようにしてもよい。
【００４２】
図９は、位相可変機構２により吸気弁５４のバルブタイミングをファーストアイドル状態時のバルブタイミングから暖機後アイドル状態時のバルブタイミングに切り替える際のタイミングチャートを示している。
【００４３】
ファーストアイドル状態時に、冷却水温が上昇して予め設定された暖機完了温度に近づくと、冷却水温の上昇に伴ってエンジン回転数がファーストアイドル状態から暖機後アイドル状態のエンジン回転数に変更されるようになっている。前述したように、エンジン回転数が下がってエンジン回転数ｎ１を下回るとオイルポンプによる油圧も低下することになり、位相可変機構２による吸気弁５４のリフト中心角の位相を十分な応答性で切り替えることが困難となる。
【００４４】
そこで、エンジン回転数が位相可変機構２により吸気弁５４のバルブタイミングを応答性良く切り替えるために必要な油圧が保証されるエンジン回転数ｎ１を下回る前に、位相可変機構２により吸気弁５４のバルブタイミングをファーストアイドル状態時のバルブタイミングから暖機後アイドル状態時のバルブタイミングに切り替える。具体的には、暖機完了温度よりも低い所定の比較値αに冷却水温が達すると、ファーストアイドル状態から暖機後アイドル状態に切り替わるタイミングに先だって、ファーストアイドル終盤に、吸気弁５４のリフト中心角の位相を暖機後アイドル状態用バルブタイミングの位相に切り替える（進角させる）。
【００４５】
ここで、吸気弁５４のリフト中心角の位相は、エンジン回転数がファーストアイドル状態時のエンジン回転数にある間に行っても良い。
【００４６】
また、本実施形態においては、可変動弁機構が油圧駆動方式のリフト・作動角可変機構１を備えているので、リフト・作動角可変機構１についても上述した位相可変機構２と同様に、ファーストアイドル状態から暖機後アイドル状態に切り替わるタイミングに先だって、ファーストアイドル終盤に、暖機用バルブタイミングにおける吸気弁５４のリフト・作動角から暖機後アイドル状態用バルブタイミングにおける吸気弁５４のリフト・作動角となるように、吸気弁５４のリフト・作動角を切り替える。
【００４７】
このように本実施形態の内燃機関の制御装置においては、可変動弁機構が油圧駆動方式であっても、暖機用バルブタイミングから素早く暖機後アイドル状態用バルブタイミングに切り替えられるので、内燃機関の燃費を向上させることができる。また、暖機用バルブタイミングから暖機後アイドル状態用バルブタイミングへの切り替えは、ファーストアイドル終盤なので運転性（燃焼安定性）への影響も極めて小さくすることができる。
【００４８】
尚、上述した実施形態においては、可変動弁機構が油圧駆動方式のリフト・作動角可変機構１と、油圧駆動方式の位相可変機構２とを備えたものであったが、可変動弁機構は、リフト・作動角可変機構１及び位相可変機構２の両者を具備するものに限定されるものではなく、リフト・作動角可変機構１と位相可変機構２のうち少なくとも一方を備えるものであればよい。
【００４９】
上記実施形態から把握し得る本発明の技術的思想について、その効果とともに列記する。
【００５０】
（１）  吸気弁のバルブタイミングを可変可能な油圧駆動方式の可変動弁機構により冷機時のファーストアイドル状態時には暖機用バルブタイミングに設定する一方、暖機後アイドル状態時には暖機後アイドル状態用バルブタイミングに設定すると共に、冷機時のファーストアイドル状態時のファーストアイドル回転数が、暖機終了後のアイドル回転数よりも高くなるよう設定された内燃機関の制御装置において、内燃機関の回転数が、ファーストアイドル回転数から暖機終了後のアイドル回転数に向かって変化中の回転数であって、かつバルブタイミングを所定の応答性で切り替えるために必要な油圧が保証される回転数を下回る前に、可変動弁機構により吸気弁のバルブタイミングを暖機用バルブタイミングから暖機後アイドル状態用バルブタイミングに切り替えるバルブタイミング切替手段を備える。可変動弁機構は、暖機後アイドル状態時よりも回転数が高いファーストアイドル状態時に、バルブタイミングを切り替えるよう駆動するため、暖機後アイドル状態時よりも高い油圧で作動させることができる。つまり、作動油圧が高い時に可変動弁機構を作動させるので、暖機用バルブタイミングから素早く暖機後アイドル状態用バルブタイミングに切り替えられ、内燃機関の燃費を向上させることができる。また、暖機用バルブタイミングから暖機後アイドル状態用バルブタイミングへの切り替えが、ファーストアイドル終盤であれば運転性（燃焼安定性）への影響も極めて小さくすることができる。
【００５１】
（２）  上記（１）に記載の内燃機関の制御装置において、可変動弁機構は、具体的には、吸気弁のリフト中心角の位相を遅進させることで吸気弁のバルブタイミングを可変とするものであって、暖機用バルブタイミングは暖機後アイドル状態用バルブタイミングに対して、リフト中心角の位相が遅角側に設定され、前記バルブタイミング切替手段は、暖機用バルブタイミングの吸気弁リフト中心角の位相を、暖機後アイドル状態用バルブタイミングの吸気弁リフト中心角の位相となるように、吸気弁のリフト中心角の位相を進角させる。
【００５２】
（３）  上記（２）に記載の内燃機関の制御装置において、可変動弁機構は、具体的には、吸気弁のリフト・作動角を連続的に拡大・縮小制御可能な油圧駆動方式のリフト・作動角可変機構を備え、前記バルブタイミング切替手段は、暖機用バルブタイミングの吸気弁リフト・作動角を、暖機後アイドル状態用バルブタイミングの吸気弁リフト・作動角となるように、吸気弁のリフト・作動角を切り替える。
【００５３】
（４）  上記（１）に記載の内燃機関の制御装置において、前記バルブタイミング切替手段による暖機用バルブタイミングから暖機後アイドル状態用バルブタイミングへの切り替えのタイミングは、少なくとも暖機用バルブタイミングから暖機後アイドル状態用バルブタイミングに切り替えが終了するまでの間、内燃機関の回転数がバルブタイミングを所定の応答性で切り替えるために必要な油圧が保証される回転数よりも大きくなるように設定されている。
【００５４】
（５）  吸気弁のバルブタイミングを可変可能な油圧駆動方式の可変動弁機構により冷機時のファーストアイドル状態時には暖機用バルブタイミングに設定する一方、暖機後アイドル状態時には暖機後アイドル状態用バルブタイミングに設定すると共に、冷機時のファーストアイドル状態時のファーストアイドル回転数が、暖機終了後のアイドル回転数よりも高くなるよう設定された内燃機関において、内燃機関の回転数が、ファーストアイドル回転数から暖機終了後のアイドル回転数に向かって変化中の回転数であって、かつバルブタイミングを所定の応答性で切り替えるために必要な油圧が保証される回転数を下回る前に、可変動弁機構により吸気弁のバルブタイミングを暖機用バルブタイミングから暖機後アイドル状態用バルブタイミングに切り替えるバルブタイミング切替手段を備える。
【図面の簡単な説明】
【００５５】
【図１】本発明に係るの内燃機関の制御装置が備える可変動弁機構の全体的な構成を示す構成説明図。
【図２】（Ａ）はゼロリフト時のリフト・作動角可変機構の動作説明図であり、（Ｂ）はフルリフト時のリフト・作動角可変機構の動作説明図。
【図３】リフト・作動角可変機構によるリフト・作動角の特性変化を示す特性図。
【図４】位相可変機構によるバルブリフト特性の位相変化を示す特性図。
【図５】負荷とエンジン回転数に応じて決定される吸気弁のリフト中心角の位相の算出マップ。
【図６】ファーストアイドル状態時の吸気弁のバルブタイミングを模式的に示した説明図。
【図７】暖機後アイドル状態時の吸気弁のバルブタイミングを模式的に示した説明図。
【図８】エンジン回転数と油圧の相関関係を示す特性図。
【図９】ファーストアイドル状態から暖機後アイドル状態時のバルブタイミングに吸気弁が切り替える際のタイミングチャート。
【図１０】本実施形態において、エンジンの冷却水温に応じてアイドル時のエンジン回転数を設定するフローチャート。
【図１１】本実施形態において、ファーストアイドル状態から暖機後アイドル状態に切り替わるタイミングに先立って、ファーストアイドル終盤に、吸気弁のバルブタイミングを切り替えることを説明したフローチャート。
【符号の説明】
【００５６】
１…リフト・作動角可変機構
２…位相可変機構
５４…吸気弁
【図１】
0004706647.tif 000002
【図２】
0004706647.tif 000003
【図３】
0004706647.tif 000004
【図４】
0004706647.tif 000005
【図５】
0004706647.tif 000006
【図６】
0004706647.tif 000007
【図７】
0004706647.tif 000008
【図８】
0004706647.tif 000009
【図９】
0004706647.tif 000010
【図１０】
0004706647.tif 000011
【図１１】
0004706647.tif 000012